(57)【要約】【課題】本発明は水墨画筆袋を開示した。【解決手段】筆袋を含み、前記画板を上に引き、これにより左端の前記台形ブロックが前記固定溝の中に引っ掛かられ、本装置は絵筆をよく固定することができ、これにより絵筆が壊れにくく、同時に中には画板が設けられており、画板を購入する面倒を省き、絵を描くことが更に便利になり、装置は機械の伝動係合により、ミスが出る可能性を下げ、装置のコストを下げ、エネルギーの消耗を節約する。【選択図】図１
2020175055.tif 000002
【特許請求の範囲】
【請求項１】
筆袋を含み、前記筆袋の中には作業チャンバが設けられており、前記作業チャンバの左右端壁には画板スライド溝が対称的に設けられており、前記画板スライド溝の中には画板装置が設けられており、前記画板装置は画板を含み、前記画板が上下に移動することができ、前記画板が上に移動して出る時、前記画板を使って顔料の色を作ることができ、前記画板装置には前記画板の上下移動を駆動するスライド機構も設けられており、前記作業チャンバの下端壁には六つの筆溝が設けられており、前記筆溝の下端壁には空きチャンバが設けられており、前記筆溝には海綿クッションが設けられており、前記海綿クッションがそれぞれ前記筆溝の内壁に固定的に連結されており、絵筆を逆方向に前記筆溝の中に挿し、前記海綿クッションによって絵筆が固定されており、右端の前記画板スライド溝の右端壁には連結空間が設けられており、右端の前記画板スライド溝の上端には連動溝が設けられており、左端の前記画板スライド溝の左端壁には固定溝が設けられており、前記固定溝の上端壁には外部と連通する連通溝が設けられており、前記連通溝の右端壁には引掛り溝が設けられており、前記筆袋の上端には蓋が設けられており、前記蓋の中には蓋溝が設けられており、前記蓋溝と前記連動溝との間には一つのスイッチ装置が設けられており、前記スイッチ装置は回転板と前記ロック解除ブロックを含み、前記ロック解除ブロックが下に移動することにより、前記蓋を前記回転板に沿ってスライドさせ、前記作業チャンバを開け、前記スイッチ装置には連結機構も設けられており、前記蓋溝の上端壁には移動スライド溝が設けられており、前記移動スライド溝の上端壁には連結スライド溝が設けられていることを特徴とする水墨画筆袋。
【請求項２】
前記画板装置の中のスライド機構は画板スライドブロックを含み、前記画板スライドブロックが二つ設けられており、別々に左右両端の前記画板スライド溝とスライドできるように係合し連結されており、前記画板スライドブロックと前記画板とが固定的に連結されており、前記画板の中には一つの洗浄チャンバと十六個の顔料ハーフパンが設けられており、右端の前記画板スライドブロックには右方に開口した安定溝が設けられており、左端の前記画板スライドブロックには一つの左方に開口した台形ブロックスライド溝が設けられており、前記台形ブロックスライド溝の中には台形ブロックがスライドできるように係合し連結されており、前記台形ブロックと前記台形ブロックスライド溝の右端面との間には台形ブロックバネが連結されており、前記台形ブロックが前記固定溝とスライドできるように係合し連結されることができ、前記画板を上に引き、これにより左端の前記台形ブロックが前記固定溝の中に引っ掛かられることを特徴とする請求項１に記載の水墨画筆袋。
【請求項３】
前記スイッチ装置の中の連結機構はロック解除ロッドを含み、前記ロック解除ロッドと前記固定溝とがスライドできるように係合し連結されており、前記ロック解除ロッドの上端にはボタンが設けられており、前記ボタンの右端面と前記ロック解除ブロックとが固定的に連結されており、前記ロック解除ブロックと前記引掛り溝とがスライドできるように係合し連結されており、前記ロック解除ブロックと前記引掛り溝の下端壁との間には引掛りブロックバネが連結されており、前記ロック解除ブロックが前記蓋溝の左端壁に当接でき、前記蓋溝の左端壁と前記回転板との間には長バネが連結されており、前記回転板の上端には前記移動スライド溝とスライドできるように係合し連結された移動スライドブロックが設けられており、前記移動スライドブロックの上端には前記連結スライド溝とスライドできるように係合し連結された連結スライドブロックが設けられており、前記連動溝の前後端壁にはヒンジ軸が回転できるように係合し連結されており、前記ヒンジ軸にはトーションバネが設けられており、前記トーションバネと前記回転板とが固定的に連結されており、前記筆袋の上端面には凹溝が設けられており、前記回転板の左端面には切替溝が設けられており、前記凹溝の中には凹ブロックがスライドできるように係合し連結されており、前記凹ブロックと前記凹溝の下端壁との間には凹ブロックバネが連結されており、前記凹ブロックの右端は前記切替溝とスライドできるように係合し連結されることができ、前記連結空間の前後端壁にはローラー軸が回転できるように係合し連結されており、前記ローラー軸には粘着ローラーが設けられており、前記連結空間の上端壁には押しブロックがスライドできるように係合し連結されており、前記押しブロックと前記粘着ローラーとが当接されており、前記押しブロックと前記安定溝とがスライドできるように係合し連結されることができ、前記連結空間の上端壁には位置制限溝が設けられており、前記位置制限溝の中には位置制限ブロックがスライドできるように係合し連結されており、前記位置制限ブロックと前記位置制限溝との間には位置制限バネが連結されており、前記位置制限ブロックと前記押しブロックとが固定的に連結されており、前記ボタンを下に引き、前記蓋を右に移動させ、前記凹ブロックを下に押し、そして前記ヒンジ軸によって前記蓋を反転させ、そして前記蓋の右端を前記連結空間の中に挿し、前記ローラー軸と前記粘着ローラーによって前記押しブロックを右に移動連動させることを特徴とする請求項１に記載の水墨画筆袋。
【発明の詳細な説明】
【技術分野】
【０００１】
本発明は文房具分野を取り上げて、具体的には水墨画筆袋である。
【背景技術】
【０００２】
現在では、芸術学生が増えることにより、水墨画用の文房具のニーズもだんだん高まっていき、伝統的な水墨画筆袋の機能は比較的に単一であり、文房具を収納すること以外に、他の作用がなく、また伝統的な筆袋はしっかりと取り付けられることができなく、筆と他の文房具とが固定できなく、壊れやすくなる。
【先行技術文献】
【特許文献】
【０００３】
【特許文献１】中国特許出願公開第１０７７１３２６５号明細書
【発明の概要】
【発明が解決しようとする課題】
【０００４】
本発明の目的は水墨画筆袋を提供し、それは上記の現在の技術中の問題を解決できる。
【課題を解決するための手段】
【０００５】
上記の課題を解決するため、本発明は以下の技術プランを採用する：筆袋を含み、前記筆袋の中には作業チャンバが設けられており、前記作業チャンバの左右端壁には画板スライド溝が対称的に設けられており、前記画板スライド溝の中には画板装置が設けられており、前記画板装置は画板を含み、前記画板が上下に移動することができ、前記画板が上に移動して出る時、前記画板を使って顔料の色を作ることができ、前記画板装置には前記画板の上下移動を駆動するスライド機構も設けられており、前記作業チャンバの下端壁には六つの筆溝が設けられており、前記筆溝の下端壁には空きチャンバが設けられており、前記筆溝には海綿クッションが設けられており、前記海綿クッションがそれぞれ前記筆溝の内壁に固定的に連結されており、絵筆を逆方向に前記筆溝の中に挿し、前記海綿クッションによって絵筆が固定されており、右端の前記画板スライド溝の右端壁には連結空間が設けられており、右端の前記画板スライド溝の上端には連動溝が設けられており、左端の前記画板スライド溝の左端壁には固定溝が設けられており、前記固定溝の上端壁には外部と連通する連通溝が設けられており、前記連通溝の右端壁には引掛り溝が設けられており、前記筆袋の上端には蓋が設けられており、前記蓋の中には蓋溝が設けられており、前記蓋溝と前記連動溝との間には一つのスイッチ装置が設けられており、前記スイッチ装置は回転板と前記ロック解除ブロックを含み、前記ロック解除ブロックが下に移動することにより、前記蓋を前記回転板に沿ってスライドさせ、前記作業チャンバを開け、前記スイッチ装置には連結機構も設けられており、前記蓋溝の上端壁には移動スライド溝が設けられており、前記移動スライド溝の上端壁には連結スライド溝が設けられている。
【０００６】
優選の技術プランとして、前記画板装置の中のスライド機構は画板スライドブロックを含み、前記画板スライドブロックが二つ設けられており、別々に左右両端の前記画板スライド溝とスライドできるように係合し連結されており、前記画板スライドブロックと前記画板とが固定的に連結されており、前記画板の中には一つの洗浄チャンバと十六個の顔料ハーフパンが設けられており、右端の前記画板スライドブロックには右方に開口した安定溝が設けられており、左端の前記画板スライドブロックには一つの左方に開口した台形ブロックスライド溝が設けられており、前記台形ブロックスライド溝の中には台形ブロックがスライドできるように係合し連結されており、前記台形ブロックと前記台形ブロックスライド溝の右端面との間には台形ブロックバネが連結されており、前記台形ブロックが前記固定溝とスライドできるように係合し連結されることができ、前記画板を上に引き、これにより左端の前記台形ブロックが前記固定溝の中に引っ掛かられる。
【０００７】
優選の技術プランとして、前記スイッチ装置の中の連結機構はロック解除ロッドを含み、前記ロック解除ロッドと前記固定溝とがスライドできるように係合し連結されており、前記ロック解除ロッドの上端にはボタンが設けられており、前記ボタンの右端面と前記ロック解除ブロックとが固定的に連結されており、前記ロック解除ブロックと前記引掛り溝とがスライドできるように係合し連結されており、前記ロック解除ブロックと前記引掛り溝の下端壁との間には引掛りブロックバネが連結されており、前記ロック解除ブロックが前記蓋溝の左端壁に当接でき、前記蓋溝の左端壁と前記回転板との間には長バネが連結されており、前記回転板の上端には前記移動スライド溝とスライドできるように係合し連結された移動スライドブロックが設けられており、前記移動スライドブロックの上端には前記連結スライド溝とスライドできるように係合し連結された連結スライドブロックが設けられており、前記連動溝の前後端壁にはヒンジ軸が回転できるように係合し連結されており、前記ヒンジ軸にはトーションバネが設けられており、前記トーションバネと前記回転板とが固定的に連結されており、前記筆袋の上端面には凹溝が設けられており、前記回転板の左端面には切替溝が設けられており、前記凹溝の中には凹ブロックがスライドできるように係合し連結されており、前記凹ブロックと前記凹溝の下端壁との間には凹ブロックバネが連結されており、前記凹ブロックの右端は前記切替溝とスライドできるように係合し連結されることができ、前記連結空間の前後端壁にはローラー軸が回転できるように係合し連結されており、前記ローラー軸には粘着ローラーが設けられており、前記連結空間の上端壁には押しブロックがスライドできるように係合し連結されており、前記押しブロックと前記粘着ローラーとが当接されており、前記押しブロックと前記安定溝とがスライドできるように係合し連結されることができ、前記連結空間の上端壁には位置制限溝が設けられており、前記位置制限溝の中には位置制限ブロックがスライドできるように係合し連結されており、前記位置制限ブロックと前記位置制限溝との間には位置制限バネが連結されており、前記位置制限ブロックと前記押しブロックとが固定的に連結されており、前記ボタンを下に引き、前記蓋を右に移動させ、前記凹ブロックを下に押し、そして前記ヒンジ軸によって前記蓋を反転させ、そして前記蓋の右端を前記連結空間の中に挿し、前記ローラー軸と前記粘着ローラーによって前記押しブロックを右に移動連動させる。
【発明の効果】
【０００８】
本装置は絵筆をよく固定することができ、これにより絵筆が壊れにくく、同時に中には画板が設けられており、画板を購入する面倒を省き、絵を描くことが更に便利になり、装置は機械の伝動係合により、ミスが出る可能性を下げ、装置のコストを下げ、エネルギーの消耗を節約する。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明の水墨画筆袋の全体断面正面構成略図
【図２】図２は図１のＡの部分拡大構成略図
【図３】図３は図１のＢの部分拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
以下、図１−３を合わせて本発明について詳しく説明し、また、説明の便利を図るため、下記に記載の上下左右前後方向が図１自身の投影関係の上下左右前後方向と一致することにする。
【００１４】
図１−３を参照し、本発明の水墨画筆袋は、筆袋１００を含み、前記筆袋１００の中には作業チャンバ２６が設けられており、前記作業チャンバ２６の左右端壁には画板スライド溝２９が対称的に設けられており、前記画板スライド溝２９の中には画板装置１０１が設けられており、前記画板装置１０１は画板２７を含み、前記画板２７が上下に移動することができ、前記画板２７が上に移動して出る時、前記画板２７を使って顔料の色を作ることができ、前記画板装置１０１には前記画板２７の上下移動を駆動するスライド機構１０２も設けられており、前記作業チャンバ２６の下端壁には六つの筆溝３２が設けられており、前記筆溝３２の下端壁には空きチャンバ３３が設けられており、前記筆溝３２には海綿クッション３１が設けられており、前記海綿クッション３１がそれぞれ前記筆溝３２の内壁に固定的に連結されており、絵筆を逆方向に前記筆溝３２の中に挿し、前記海綿クッション３１によって絵筆が固定されており、右端の前記画板スライド溝２９の右端壁には連結空間６１が設けられており、右端の前記画板スライド溝２９の上端には連動溝４８が設けられており、左端の前記画板スライド溝２９の左端壁には固定溝４０が設けられており、前記固定溝４０の上端壁には外部と連通する連通溝６３が設けられており、前記連通溝６３の右端壁には引掛り溝３９が設けられており、前記筆袋１００の上端には蓋２１が設けられており、前記蓋２１の中には蓋溝２５が設けられており、前記蓋溝２５と前記連動溝４８との間には一つのスイッチ装置１０５が設けられており、前記スイッチ装置１０５は回転板５３と前記ロック解除ブロック４２を含み、前記ロック解除ブロック４２が下に移動することにより、前記蓋２１を前記回転板２７に沿ってスライドさせ、前記作業チャンバ２６を開け、前記スイッチ装置１０５には連結機構１０６も設けられており、前記蓋溝２５の上端壁には移動スライド溝２３が設けられており、前記移動スライド溝２３の上端壁には連結スライド溝２２が設けられている。
【００１５】
前記画板装置１０１の中のスライド機構１０２は画板スライドブロック３４を含み、前記画板スライドブロック３４が二つ設けられており、別々に左右両端の前記画板スライド溝２９とスライドできるように係合し連結されており、前記画板スライドブロック３４と前記画板２７とが固定的に連結されており、前記画板２７の中には一つの洗浄チャンバ３０と十六個の顔料ハーフパン２８が設けられており、右端の前記画板スライドブロック３４には右方に開口した安定溝６４が設けられており、左端の前記画板スライドブロック３４には一つの左方に開口した台形ブロックスライド溝３７が設けられており、前記台形ブロックスライド溝３７の中には台形ブロック３６がスライドできるように係合し連結されており、前記台形ブロック３６と前記台形ブロックスライド溝３７の右端面との間には台形ブロックバネ３５が連結されており、前記台形ブロック３６が前記固定溝４０とスライドできるように係合し連結されることができ、前記画板２７を上に引き、これにより左端の前記台形ブロック３６が前記固定溝４０の中に引っ掛かられる。
【００１６】
前記スイッチ装置１０５の中の連結機構１０６はロック解除ロッド４１を含み、前記ロック解除ロッド４１と前記固定溝４０とがスライドできるように係合し連結されており、前記ロック解除ロッド４１の上端にはボタン４３が設けられており、前記ボタン４３の右端面と前記ロック解除ブロック４２とが固定的に連結されており、前記ロック解除ブロック４２と前記引掛り溝３９とがスライドできるように係合し連結されており、前記ロック解除ブロック４２と前記引掛り溝３９の下端壁との間には引掛りブロックバネ３８が連結されており、前記ロック解除ブロック４２が前記蓋溝２５の左端壁に当接でき、前記蓋溝２５の左端壁と前記回転板５３との間には長バネ２４が連結されており、前記回転板５３の上端には前記移動スライド溝２３とスライドできるように係合し連結された移動スライドブロック５４が設けられており、前記移動スライドブロック５４の上端には前記連結スライド溝２２とスライドできるように係合し連結された連結スライドブロック４５が設けられており、前記連動溝４８の前後端壁にはヒンジ軸４７が回転できるように係合し連結されており、前記ヒンジ軸４７にはトーションバネ４６が設けられており、前記トーションバネ４６と前記回転板５３とが固定的に連結されており、前記筆袋１００の上端面には凹溝５０が設けられており、前記回転板５３の左端面には切替溝４９が設けられており、前記凹溝５０の中には凹ブロック５２がスライドできるように係合し連結されており、前記凹ブロック５２と前記凹溝５０の下端壁との間には凹ブロックバネ５１が連結されており、前記凹ブロック５２の右端は前記切替溝４９とスライドできるように係合し連結されることができ、前記連結空間６１の前後端壁にはローラー軸６０が回転できるように係合し連結されており、前記ローラー軸６０には粘着ローラー５９が設けられており、前記連結空間６１の上端壁には押しブロック５８がスライドできるように係合し連結されており、前記押しブロック５８と前記粘着ローラー５９とが当接されており、前記押しブロック５８と前記安定溝６４とがスライドできるように係合し連結されることができ、前記連結空間６１の上端壁には位置制限溝５７が設けられており、前記位置制限溝５７の中には位置制限ブロック５５がスライドできるように係合し連結されており、前記位置制限ブロック５５と前記位置制限溝５７との間には位置制限バネ５６が連結されており、前記位置制限ブロック５５と前記押しブロック５８とが固定的に連結されており、前記ボタン４３を下に引き、前記蓋２１を右に移動させ、前記凹ブロック５２を下に押し、そして前記ヒンジ軸４７によって前記蓋２１を反転させ、そして前記蓋２１の右端を前記連結空間６１の中に挿し、前記ローラー軸６０と前記粘着ローラー５９によって前記押しブロック５８を右に移動連動させる。
【００１７】
使用する時、ボタン４３を下に引き、蓋２１を右に移動させ、凹ブロック５２を下に押し、そしてヒンジ軸４７によって蓋２１を反転させ、そして蓋２１の右端を連結空間６１の中に挿し、ローラー軸６０と粘着ローラー５９によって押しブロック５８を右に移動連動させ、画板２７を上に引き、これにより左端の台形ブロック３６が固定溝４０の中に引っ掛かられ、そして絵を描き、描き終わった後、ボタン４３を下に引き、台形ブロック３６を固定溝４０から押し出し、そして画板２７を回収し、そして蓋２１の右端を連結空間６１から抜き出し、これにより押しブロック５８が再び安定溝６４の中に入り、そして絵筆を逆方向に筆溝３２の中に挿し、海綿クッション３１によって絵筆が固定され、凹ブロック５２を押し、蓋２１を復元する。
【００１８】
本発明の有益効果は：本装置は絵筆をよく固定することができ、これにより絵筆が壊れにくく、同時に中には画板が設けられており、画板を購入する面倒を省き、絵を描くことが更に便利になり、装置は機械の伝動係合により、ミスが出る可能性を下げ、装置のコストを下げ、エネルギーの消耗を節約する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175055.tif 000003
【図２】
2020175055.tif 000004
【図３】
2020175055.tif 000005
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
筆袋を含み、前記筆袋の中には作業チャンバが設けられており、前記作業チャンバの左右端壁には画板スライド溝が対称的に設けられており、前記画板スライド溝の中には画板装置が設けられており、前記画板装置は画板を含み、前記画板が上下に移動することができ、使用者が手動で前記画板を上に移動させて出した時、使用者が前記画板を使って顔料の色を作ることができ、前記画板装置には前記画板の上下移動を駆動するスライド機構も設けられており、前記作業チャンバの下端壁の中には六つの筆溝が設けられており、前記筆溝の下端壁には空きチャンバが設けられており、前記筆溝には海綿クッションが設けられており、前記海綿クッションがそれぞれ前記筆溝の内壁に固定的に連結されており、使用者が手動で絵筆を逆方向に前記筆溝の中に挿し、前記海綿クッションによって絵筆が固定されており、右端の前記画板スライド溝の右端壁には連結空間が設けられており、右端の前記画板スライド溝の上端には連動溝が設けられており、左端の前記画板スライド溝の左端壁には固定溝が設けられており、前記固定溝の上端壁には外部と連通する連通溝が設けられており、前記連通溝の右端壁には引掛り溝が設けられており、前記筆袋の上端には蓋が設けられており、前記蓋の中には蓋溝が設けられており、前記蓋溝と前記連動溝との間には一つのスイッチ装置が設けられており、前記スイッチ装置は回転板と前記ロック解除ブロックを含み、使用者が手動で前記ボタンと前記ロック解除ブロックとを下に移動させることにより、前記長バネで前記蓋を前記回転板に沿ってスライドさせ、前記作業チャンバを開け、前記スイッチ装置には連結機構も設けられており、前記蓋溝の上端壁には移動スライド溝が設けられており、前記移動スライド溝の上端壁には連結スライド溝が設けられ、
前記画板装置の中のスライド機構は画板スライドブロックを含み、前記画板スライドブロックが二つ設けられており、別々に左右両端の前記画板スライド溝とスライドできるように係合し連結されており、前記画板スライドブロックと前記画板とが固定的に連結されており、前記画板の中には一つの洗浄チャンバと十六個の顔料ハーフパンが設けられており、右端の前記画板スライドブロックには右方に開口した安定溝が設けられており、左端の前記画板スライドブロックには一つの左方に開口した台形ブロックスライド溝が設けられており、前記台形ブロックスライド溝の中には台形ブロックがスライドできるように係合し連結されており、前記台形ブロックと前記台形ブロックスライド溝の右端面との間には台形ブロックバネが連結されており、前記台形ブロックが前記固定溝とスライドできるように係合し連結されることができ、使用者が手動で前記画板を上に引き、これにより左端の前記台形ブロックが前記固定溝の中に引っ掛かり、
前記スイッチ装置の中の連結機構はロック解除ロッドを含み、前記ロック解除ロッドと前記固定溝とがスライドできるように係合し連結されており、前記ロック解除ロッドの上端にはボタンが設けられており、前記ボタンの右端面と前記ロック解除ブロックとが固定的に連結されており、前記ロック解除ブロックと前記引掛り溝とがスライドできるように係合し連結されており、前記ロック解除ブロックと前記引掛り溝の下端壁との間には引掛りブロックバネが連結されており、前記ロック解除ブロックが前記蓋溝の左端壁に当接でき、前記蓋溝の左端壁と前記回転板との間には長バネが連結されており、前記回転板の上端には前記移動スライド溝とスライドできるように係合し連結された移動スライドブロックが設けられており、前記移動スライドブロックの上端には前記連結スライド溝とスライドできるように係合し連結された連結スライドブロックが設けられており、前記連動溝の前後端壁にはヒンジ軸が回転できるように係合し連結されており、前記ヒンジ軸にはトーションバネが設けられており、前記トーションバネと前記回転板とが固定的に連結されており、前記筆袋の上端面の中には凹溝が設けられており、前記回転板の左端面には切替溝が設けられており、前記凹溝の中には凹ブロックがスライドできるように係合し連結されており、前記凹ブロックと前記凹溝の下端壁との間には凹ブロックバネが連結されており、前記凹ブロックの右端は前記切替溝とスライドできるように係合し連結されることができ、前記連結空間の前後端壁にはローラー軸が回転できるように係合し連結されており、前記ローラー軸には粘着ローラーが設けられており、前記連結空間の上端壁には押しブロックがスライドできるように係合し連結されており、前記押しブロックと前記粘着ローラーとが当接されており、前記押しブロックと前記安定溝とがスライドできるように係合し連結されることができ、前記連結空間の上端壁には位置制限溝が設けられており、前記位置制限溝の中には位置制限ブロックがスライドできるように係合し連結されており、前記位置制限ブロックと前記位置制限溝との間には位置制限バネが連結されており、前記位置制限ブロックと前記押しブロックとが固定的に連結されており、使用者が手動で前記ボタンを下に引き、これにより前記ロック解除ブロックが連動し下へ移動し、これにより前記長バネで前記蓋を右に移動させ、前記蓋の左側が前記凹ブロックを下に押し、そして前記ヒンジ軸によって前記蓋を反転させて前記蓋の右端を前記連結空間の中に挿し、前記ローラー軸と前記粘着ローラーによって前記押しブロックを右に移動連動させることを特徴とする水墨画筆袋。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げて、具体的には水墨画筆袋である。
【背景技術】
【０００２】
現在では、芸術学生が増えることにより、水墨画用の文房具のニーズもだんだん高まっていき、伝統的な水墨画筆袋の機能は比較的に単一であり、文房具を収納すること以外に、他の作用がなく、また伝統的な筆袋はしっかりと取り付けられることができなく、筆と他
の文房具とが固定できなく、壊れやすくなる。
【先行技術文献】
【特許文献】
【０００３】
【特許文献１】中国特許出願公開第１０７７１３２６５号明細書
【発明の概要】
【発明が解決しようとする課題】
【０００４】
本発明の目的は水墨画筆袋を提供し、それは上記の現在の技術中の問題を解決できる。
【課題を解決するための手段】
【０００５】
上記の課題を解決するため、本発明は以下の技術プランを採用する：筆袋を含み、前記筆袋の中には作業チャンバが設けられており、前記作業チャンバの左右端壁には画板スライド溝が対称的に設けられており、前記画板スライド溝の中には画板装置が設けられており、前記画板装置は画板を含み、前記画板が上下に移動することができ、使用者が手動で前記画板を上に移動させて出した時、使用者が前記画板を使って顔料の色を作ることができ、前記画板装置には前記画板の上下移動を駆動するスライド機構も設けられており、前記作業チャンバの下端壁の中には六つの筆溝が設けられており、前記筆溝の下端壁には空きチャンバが設けられており、前記筆溝には海綿クッションが設けられており、前記海綿クッションがそれぞれ前記筆溝の内壁に固定的に連結されており、使用者が手動で絵筆を逆方向に前記筆溝の中に挿し、前記海綿クッションによって絵筆が固定されており、右端の前記画板スライド溝の右端壁には連結空間が設けられており、右端の前記画板スライド溝の上端には連動溝が設けられており、左端の前記画板スライド溝の左端壁には固定溝が設けられており、前記固定溝の上端壁には外部と連通する連通溝が設けられており、前記連通溝の右端壁には引掛り溝が設けられており、前記筆袋の上端には蓋が設けられており、前記蓋の中には蓋溝が設けられており、前記蓋溝と前記連動溝との間には一つのスイッチ装置が設けられており、前記スイッチ装置は回転板と前記ロック解除ブロックを含み、使用者が手動で前記ボタンと前記ロック解除ブロックとを下に移動させることにより、前記長バネで前記蓋を前記回転板に沿ってスライドさせ、前記作業チャンバを開け、前記スイッチ装置には連結機構も設けられており、前記蓋溝の上端壁には移動スライド溝が設けられており、前記移動スライド溝の上端壁には連結スライド溝が設けられている。
【０００６】
優選の技術プランとして、前記画板装置の中のスライド機構は画板スライドブロックを含み、前記画板スライドブロックが二つ設けられており、別々に左右両端の前記画板スライド溝とスライドできるように係合し連結されており、前記画板スライドブロックと前記画板とが固定的に連結されており、前記画板の中には一つの洗浄チャンバと十六個の顔料ハーフパンが設けられており、右端の前記画板スライドブロックには右方に開口した安定溝が設けられており、左端の前記画板スライドブロックには一つの左方に開口した台形ブロックスライド溝が設けられており、前記台形ブロックスライド溝の中には台形ブロックがスライドできるように係合し連結されており、前記台形ブロックと前記台形ブロックスライド溝の右端面との間には台形ブロックバネが連結されており、前記台形ブロックが前記固定溝とスライドできるように係合し連結されることができ、使用者が手動で前記画板を上に引き、これにより左端の前記台形ブロックが前記固定溝の中に引っ掛かる。
【０００７】
優選の技術プランとして、前記スイッチ装置の中の連結機構はロック解除ロッドを含み、前記ロック解除ロッドと前記固定溝とがスライドできるように係合し連結されており、前記ロック解除ロッドの上端にはボタンが設けられており、前記ボタンの右端面と前記ロック解除ブロックとが固定的に連結されており、前記ロック解除ブロックと前記引掛り溝とがスライドできるように係合し連結されており、前記ロック解除ブロックと前記引掛り溝の下端壁との間には引掛りブロックバネが連結されており、前記ロック解除ブロックが前記蓋溝の左端壁に当接でき、前記蓋溝の左端壁と前記回転板との間には長バネが連結されており、前記回転板の上端には前記移動スライド溝とスライドできるように係合し連結された移動スライドブロックが設けられており、前記移動スライドブロックの上端には前記連結スライド溝とスライドできるように係合し連結された連結スライドブロックが設けられており、前記連動溝の前後端壁にはヒンジ軸が回転できるように係合し連結されており、前記ヒンジ軸にはトーションバネが設けられており、前記トーションバネと前記回転板とが固定的に連結されており、前記筆袋の上端面の中には凹溝が設けられており、前記回転板の左端面には切替溝が設けられており、前記凹溝の中には凹ブロックがスライドできるように係合し連結されており、前記凹ブロックと前記凹溝の下端壁との間には凹ブロックバネが連結されており、前記凹ブロックの右端は前記切替溝とスライドできるように係合し連結されることができ、前記連結空間の前後端壁にはローラー軸が回転できるように係合し連結されており、前記ローラー軸には粘着ローラーが設けられており、前記連結空間の上端壁には押しブロックがスライドできるように係合し連結されており、前記押しブロックと前記粘着ローラーとが当接されており、前記押しブロックと前記安定溝とがスライドできるように係合し連結されることができ、前記連結空間の上端壁には位置制限溝が設けられており、前記位置制限溝の中には位置制限ブロックがスライドできるように係合し連結されており、前記位置制限ブロックと前記位置制限溝との間には位置制限バネが連結されており、前記位置制限ブロックと前記押しブロックとが固定的に連結されており、使用者が手動で前記ボタンを下に引き、これにより前記ロック解除ブロックが連動し下へ移動し、これにより前記長バネで前記蓋を右に移動させ、前記蓋の左側が前記凹ブロックを下に押し、そして前記ヒンジ軸によって前記蓋を反転させて前記蓋の右端を前記連結空間の中に挿し、前記ローラー軸と前記粘着ローラーによって前記押しブロックを右に移動連動させる
【発明の効果】
【０００８】
本装置は絵筆をよく固定することができ、これにより絵筆が壊れにくく、同時に中には画板が設けられており、画板を購入する面倒を省き、絵を描くことが更に便利になり、装置は機械の伝動係合により、ミスが出る可能性を下げ、装置のコストを下げ、エネルギーの消耗を節約する。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明の水墨画筆袋の全体断面正面構成略図
【図２】図２は図１のＡの部分拡大構成略図
【図３】図３は図１のＢの部分拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
以下、図１−３を合わせて本発明について詳しく説明し、また、説明の便利を図るため、下記に記載の上下左右前後方向が図１自身の投影関係の上下左右前後方向と一致することにする。
【００１４】
図１−３を参照し、本発明の水墨画筆袋は、筆袋１００を含み、前記筆袋１００の中には作業チャンバ２６が設けられており、前記作業チャンバ２６の左右端壁には画板スライド溝２９が対称的に設けられており、前記画板スライド溝２９の中には画板装置１０１が設けられており、前記画板装置１０１は画板２７を含み、前記画板２７が上下に移動することができ、使用者が手動で前記画板27を上に移動させて出した時、使用者が前記画板27を使って顔料の色を作ることができ、前記画板装置１０１には前記画板２７の上下移動を駆動するスライド機構１０２も設けられており、前記作業チャンバ26の下端壁の中には六つの筆溝32が設けられており、前記筆溝３２の下端壁には空きチャンバ３３が設けられており、前記筆溝３２には海綿クッション３１が設けられており、前記海綿クッション３１がそれぞれ前記筆溝３２の内壁に固定的に連結されており、使用者が手動で絵筆を逆方向に前記筆溝３２の中に挿し、前記海綿クッション３１によって絵筆が固定されており、右端の前記画板スライド溝２９の右端壁には連結空間６１が設けられており、右端の前記画板スライド溝２９の上端には連動溝４８が設けられており、左端の前記画板スライド溝２９の左端壁には固定溝４０が設けられており、前記固定溝４０の上端壁には外部と連通する連通溝６３が設けられており、前記連通溝６３の右端壁には引掛り溝３９が設けられており、前記筆袋１００の上端には蓋２１が設けられており、前記蓋２１の中には蓋溝２５が設けられており、前記蓋溝２５と前記連動溝４８との間には一つのスイッチ装置１０５が設けられており、前記スイッチ装置１０５は回転板５３と前記ロック解除ブロック４２を含み、使用者が手動で前記ボタン43と前記ロック解除ブロック42とを下に移動させることにより、前記長バネ24で前記蓋21を前記回転板27に沿ってスライドさせ、前記作業チャンバ２６を開け、前記スイッチ装置１０５には連結機構１０６も設けられており、前記蓋溝２５の上端壁には移動スライド溝２３が設けられており、前記移動スライド溝２３の上端壁には連結スライド溝２２が設けられている。
【００１５】
前記画板装置１０１の中のスライド機構１０２は画板スライドブロック３４を含み、前記画板スライドブロック３４が二つ設けられており、別々に左右両端の前記画板スライド溝２９とスライドできるように係合し連結されており、前記画板スライドブロック３４と前記画板２７とが固定的に連結されており、前記画板２７の中には一つの洗浄チャンバ３０と十六個の顔料ハーフパン２８が設けられており、右端の前記画板スライドブロック３４には右方に開口した安定溝６４が設けられており、左端の前記画板スライドブロック３４には一つの左方に開口した台形ブロックスライド溝３７が設けられており、前記台形ブロックスライド溝３７の中には台形ブロック３６がスライドできるように係合し連結されており、前記台形ブロック３６と前記台形ブロックスライド溝３７の右端面との間には台形ブロックバネ３５が連結されており、前記台形ブロック３６が前記固定溝４０とスライドできるように係合し連結されることができ、使用者が手動で前記画板２７を上に引き、これにより左端の前記台形ブロック３６が前記固定溝４０の中に引っ掛かる。
【００１６】
前記スイッチ装置１０５の中の連結機構１０６はロック解除ロッド４１を含み、前記ロック解除ロッド４１と前記固定溝４０とがスライドできるように係合し連結されており、前記ロック解除ロッド４１の上端にはボタン４３が設けられており、前記ボタン４３の右端面と前記ロック解除ブロック４２とが固定的に連結されており、前記ロック解除ブロック４２と前記引掛り溝３９とがスライドできるように係合し連結されており、前記ロック解除ブロック４２と前記引掛り溝３９の下端壁との間には引掛りブロックバネ３８が連結されており、前記ロック解除ブロック４２が前記蓋溝２５の左端壁に当接でき、前記蓋溝２５の左端壁と前記回転板５３との間には長バネ２４が連結されており、前記回転板５３の上端には前記移動スライド溝２３とスライドできるように係合し連結された移動スライドブロック５４が設けられており、前記移動スライドブロック５４の上端には前記連結スライド溝２２とスライドできるように係合し連結された連結スライドブロック４５が設けられており、前記連動溝４８の前後端壁にはヒンジ軸４７が回転できるように係合し連結されており、前記ヒンジ軸４７にはトーションバネ４６が設けられており、前記トーションバネ４６と前記回転板５３とが固定的に連結されており、前記筆袋１００の上端面の中には凹溝５０が設けられており、前記回転板５３の左端面には切替溝４９が設けられており、前記凹溝５０の中には凹ブロック５２がスライドできるように係合し連結されており、前記凹ブロック５２と前記凹溝５０の下端壁との間には凹ブロックバネ５１が連結されており、前記凹ブロック５２の右端は前記切替溝４９とスライドできるように係合し連結されることができ、前記連結空間６１の前後端壁にはローラー軸６０が回転できるように係合し連結されており、前記ローラー軸６０には粘着ローラー５９が設けられており、前記連結空間６１の上端壁には押しブロック５８がスライドできるように係合し連結されており、前記押しブロック５８と前記粘着ローラー５９とが当接されており、前記押しブロック５８と前記安定溝６４とがスライドできるように係合し連結されることができ、前記連結空間６１の上端壁には位置制限溝５７が設けられており、前記位置制限溝５７の中には位置制限ブロック５５がスライドできるように係合し連結されており、前記位置制限ブロック５５と前記位置制限溝５７との間には位置制限バネ５６が連結されており、前記位置制限ブロック５５と前記押しブロック５８とが固定的に連結されており、使用者が手動で前記ボタン43を下に引き、これにより前記ロック解除ブロック42が連動し下へ移動し、これにより前記長バネ24で前記蓋21を右に移動させ、前記蓋21の左側が前記凹ブロック52を下に押し、そして前記ヒンジ軸に47よって前記蓋21を反転させて前記蓋21の右端を前記連結空間61の中に挿し、前記ローラー軸60と前記粘着ローラー59によって前記押しブロック58を右に移動連動させる。
【００１７】
使用する時、使用者が手動で前記ボタン43を下に引き、これにより前記ロック解除ブロック42が連動し下へ移動し、これにより前記長バネ24で前記蓋21を右に移動させ、前記蓋21の左側が前記凹ブロック52を下に押し、そして前記ヒンジ軸に47よって前記蓋21を反転させて前記蓋21の右端を前記連結空間61の中に挿し、前記ローラー軸60と前記粘着ローラー59によって前記押しブロック58を右に移動連動させ、使用者が画板２７を上に引き、これにより左端の台形ブロック３６が固定溝４０の中に引っ掛かり、そして使用者が絵を描き、描き終わった後、使用者が手動でボタン４３を下に回し、これによりロック解除ロッド４１が台形ブロック３６を固定溝４０から押し出し、そして使用者が手動で画板２７を回収し、そして死傷者が手動で蓋２１の右端を連結空間６１から抜き出し、これにより押しブロック５８が再び安定溝６４の中に引っ掛かり、そして使用者が手動で絵筆を逆方向に筆溝３２の中に挿し、海綿クッション３１によって絵筆が固定され、蓋21が凹ブロック５２を押し、そして使用者が手動で蓋２１を復元する。
【００１８】
本発明の有益効果は：本装置は絵筆をよく固定することができ、これにより絵筆が壊れにくく、同時に中には画板が設けられており、画板を購入する面倒を省き、絵を描くことが更に便利になり、装置は機械の伝動係合により、ミスが出る可能性を下げ、装置のコストを下げ、エネルギーの消耗を節約する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図１
【補正方法】変更
【補正の内容】
【図１】
2020175055.tif 000006
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
筆袋を含み、前記筆袋の中には作業チャンバが設けられており、前記作業チャンバの左右端壁には画板スライド溝が対称的に設けられており、前記画板スライド溝の中には画板装置が設けられており、前記画板装置は画板を含み、前記画板が上下に移動することができ、使用者が手動で前記画板を上に移動させて出した時、使用者が前記画板を使って顔料の色を作ることができ、前記画板装置には前記画板の上下移動を駆動するスライド機構も設けられており、前記作業チャンバの下端壁の中には六つの筆溝が設けられており、前記筆溝の下端壁には空きチャンバが設けられており、前記筆溝には海綿クッションが設けられており、前記海綿クッションがそれぞれ前記筆溝の内壁に固定的に連結されており、使用者が手動で絵筆の尻を前記筆溝の中に挿し、前記海綿クッションによって絵筆が固定されており、右端の前記画板スライド溝の右端壁には連結空間が設けられており、右端の前記画板スライド溝の上端には連動溝が設けられており、左端の前記画板スライド溝の左端壁には固定溝が設けられており、前記固定溝の上端壁には外部と連通する連通溝が設けられており、前記連通溝の右端壁には引掛り溝が設けられており、前記筆袋の上端には蓋が設けられており、前記蓋の中には蓋溝が設けられており、前記蓋溝と前記連動溝との間には一つのスイッチ装置が設けられており、前記スイッチ装置は回転板とロック解除ブロックを含み、使用者が手動でボタンと前記ロック解除ブロックとを下に移動させることにより、長バネで前記蓋を前記回転板に沿ってスライドさせ、前記作業チャンバを開け、前記スイッチ装置には連結機構も設けられており、前記蓋溝の上端壁には移動スライド溝が設けられており、前記移動スライド溝の上端壁には連結スライド溝が設けられ、
前記画板装置の中のスライド機構は画板スライドブロックを含み、前記画板スライドブロックが二つ設けられており、別々に左右両端の前記画板スライド溝とスライドできるように係合し連結されており、前記画板スライドブロックと前記画板とが固定的に連結されており、前記画板の中には一つの洗浄チャンバと十六個の顔料ハーフパンが設けられており、右端の前記画板スライドブロックには右方に開口した安定溝が設けられており、左端の前記画板スライドブロックには一つの左方に開口した台形ブロックスライド溝が設けられており、前記台形ブロックスライド溝の中には台形ブロックがスライドできるように係合し連結されており、前記台形ブロックと前記台形ブロックスライド溝の右端面との間には台形ブロックバネが連結されており、前記台形ブロックが前記固定溝とスライドできるように係合し連結されることができ、使用者が手動で前記画板を上に引き、これにより左端の前記台形ブロックが前記固定溝の中に引っ掛かり、
前記スイッチ装置の中の連結機構はロック解除ロッドを含み、前記ロック解除ロッドと前記固定溝とがスライドできるように係合し連結されており、前記ロック解除ロッドの上端には前記ボタンが設けられており、前記ボタンの右端面と前記ロック解除ブロックとが固定的に連結されており、前記ロック解除ブロックと前記引掛り溝とがスライドできるように係合し連結されており、前記ロック解除ブロックと前記引掛り溝の下端壁との間には引掛りブロックバネが連結されており、前記ロック解除ブロックが前記蓋溝の左端壁に当接でき、前記蓋溝の左端壁と前記回転板との間には前記長バネが連結されており、前記回転板の上端には前記移動スライド溝とスライドできるように係合し連結された移動スライドブロックが設けられており、前記移動スライドブロックの上端には前記連結スライド溝とスライドできるように係合し連結された連結スライドブロックが設けられており、前記連動溝の前後端壁にはヒンジ軸が回転できるように係合し連結されており、前記ヒンジ軸にはトーションバネが設けられており、前記トーションバネと前記回転板とが固定的に連結されており、前記筆袋の上端面の中には凹溝が設けられており、前記回転板の左端面には切替溝が設けられており、前記凹溝の中には凹ブロックがスライドできるように係合し連結されており、前記凹ブロックと前記凹溝の下端壁との間には凹ブロックバネが連結されており、前記凹ブロックの右端は前記切替溝とスライドできるように係合し連結されることができ、前記連結空間の前後端壁にはローラー軸が回転できるように係合し連結されており、前記ローラー軸には粘着ローラーが設けられており、前記連結空間の上端壁には押しブロックがスライドできるように係合し連結されており、前記押しブロックと前記粘着ローラーとが当接されており、前記押しブロックと前記安定溝とがスライドできるように係合し連結されることができ、前記連結空間の上端壁には位置制限溝が設けられており、前記位置制限溝の中には位置制限ブロックがスライドできるように係合し連結されており、前記位置制限ブロックと前記位置制限溝との間には位置制限バネが連結されており、前記位置制限ブロックと前記押しブロックとが固定的に連結されており、使用者が手動で前記ボタンを下に引き、これにより前記ロック解除ブロックが連動し下へ移動し、これにより前記長バネで前記蓋を右に移動させ、前記蓋の左側が前記凹ブロックを下に押し、そして前記ヒンジ軸によって前記蓋を反転させて前記蓋の右端を前記連結空間の中に挿し、前記ローラー軸と前記粘着ローラーによって前記押しブロックを右に移動連動させることを特徴とする水墨画筆袋。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げて、具体的には水墨画筆袋である。
【背景技術】
【０００２】
現在では、芸術学生が増えることにより、水墨画用の文房具のニーズもだんだん高まっていき、伝統的な水墨画筆袋の機能は比較的に単一であり、文房具を収納すること以外に、他の作用がなく、また伝統的な筆袋はしっかりと取り付けられることができなく、筆と他の文房具とが固定できなく、壊れやすくなる。
【先行技術文献】
【特許文献】
【０００３】
【特許文献１】中国特許出願公開第１０７７１３２６５号明細書
【発明の概要】
【発明が解決しようとする課題】
【０００４】
本発明の目的は水墨画筆袋を提供し、それは上記の現在の技術中の問題を解決できる。
【課題を解決するための手段】
【０００５】
上記の課題を解決するため、本発明は以下の技術プランを採用する：筆袋を含み、前記筆袋の中には作業チャンバが設けられており、前記作業チャンバの左右端壁には画板スライド溝が対称的に設けられており、前記画板スライド溝の中には画板装置が設けられており、前記画板装置は画板を含み、前記画板が上下に移動することができ、使用者が手動で前記画板を上に移動させて出した時、使用者が前記画板を使って顔料の色を作ることができ、前記画板装置には前記画板の上下移動を駆動するスライド機構も設けられており、前記作業チャンバの下端壁の中には六つの筆溝が設けられており、前記筆溝の下端壁には空きチャンバが設けられており、前記筆溝には海綿クッションが設けられており、前記海綿クッションがそれぞれ前記筆溝の内壁に固定的に連結されており、使用者が手動で絵筆の尻を前記筆溝の中に挿し、前記海綿クッションによって絵筆が固定されており、右端の前記画板スライド溝の右端壁には連結空間が設けられており、右端の前記画板スライド溝の上端には連動溝が設けられており、左端の前記画板スライド溝の左端壁には固定溝が設けられており、前記固定溝の上端壁には外部と連通する連通溝が設けられており、前記連通溝の右端壁には引掛り溝が設けられており、前記筆袋の上端には蓋が設けられており、前記蓋の中には蓋溝が設けられており、前記蓋溝と前記連動溝との間には一つのスイッチ装置が設けられており、前記スイッチ装置は回転板とロック解除ブロックを含み、使用者が手動でボタンと前記ロック解除ブロックとを下に移動させることにより、長バネで前記蓋を前記回転板に沿ってスライドさせ、前記作業チャンバを開け、前記スイッチ装置には連結機構も設けられており、前記蓋溝の上端壁には移動スライド溝が設けられており、前記移動スライド溝の上端壁には連結スライド溝が設けられている。
【０００６】
優選の技術プランとして、前記画板装置の中のスライド機構は画板スライドブロックを含み、前記画板スライドブロックが二つ設けられており、別々に左右両端の前記画板スライド溝とスライドできるように係合し連結されており、前記画板スライドブロックと前記画板とが固定的に連結されており、前記画板の中には一つの洗浄チャンバと十六個の顔料ハーフパンが設けられており、右端の前記画板スライドブロックには右方に開口した安定溝が設けられており、左端の前記画板スライドブロックには一つの左方に開口した台形ブロックスライド溝が設けられており、前記台形ブロックスライド溝の中には台形ブロックがスライドできるように係合し連結されており、前記台形ブロックと前記台形ブロックスライド溝の右端面との間には台形ブロックバネが連結されており、前記台形ブロックが前記固定溝とスライドできるように係合し連結されることができ、使用者が手動で前記画板を上に引き、これにより左端の前記台形ブロックが前記固定溝の中に引っ掛かる。
【０００７】
優選の技術プランとして、前記スイッチ装置の中の連結機構はロック解除ロッドを含み、前記ロック解除ロッドと前記固定溝とがスライドできるように係合し連結されており、前記ロック解除ロッドの上端にはボタンが設けられており、前記ボタンの右端面と前記ロック解除ブロックとが固定的に連結されており、前記ロック解除ブロックと前記引掛り溝とがスライドできるように係合し連結されており、前記ロック解除ブロックと前記引掛り溝の下端壁との間には引掛りブロックバネが連結されており、前記ロック解除ブロックが前記蓋溝の左端壁に当接でき、前記蓋溝の左端壁と前記回転板との間には前記長バネが連結されており、前記回転板の上端には前記移動スライド溝とスライドできるように係合し連結された移動スライドブロックが設けられており、前記移動スライドブロックの上端には前記連結スライド溝とスライドできるように係合し連結された連結スライドブロックが設けられており、前記連動溝の前後端壁にはヒンジ軸が回転できるように係合し連結されており、前記ヒンジ軸にはトーションバネが設けられており、前記トーションバネと前記回転板とが固定的に連結されており、前記筆袋の上端面の中には凹溝が設けられており、前記回転板の左端面には切替溝が設けられており、前記凹溝の中には凹ブロックがスライドできるように係合し連結されており、前記凹ブロックと前記凹溝の下端壁との間には凹ブロックバネが連結されており、前記凹ブロックの右端は前記切替溝とスライドできるように係合し連結されることができ、前記連結空間の前後端壁にはローラー軸が回転できるように係合し連結されており、前記ローラー軸には粘着ローラーが設けられており、前記連結空間の上端壁には押しブロックがスライドできるように係合し連結されており、前記押しブロックと前記粘着ローラーとが当接されており、前記押しブロックと前記安定溝とがスライドできるように係合し連結されることができ、前記連結空間の上端壁には位置制限溝が設けられており、前記位置制限溝の中には位置制限ブロックがスライドできるように係合し連結されており、前記位置制限ブロックと前記位置制限溝との間には位置制限バネが連結されており、前記位置制限ブロックと前記押しブロックとが固定的に連結されており、使用者が手動で前記ボタンを下に引き、これにより前記ロック解除ブロックが連動し下へ移動し、これにより前記長バネで前記蓋を右に移動させ、前記蓋の左側が前記凹ブロックを下に押し、そして前記ヒンジ軸によって前記蓋を反転させて前記蓋の右端を前記連結空間の中に挿し、前記ローラー軸と前記粘着ローラーによって前記押しブロックを右に移動連動させる。
【発明の効果】
【０００８】
本装置は絵筆をよく固定することができ、これにより絵筆が壊れにくく、同時に中には画板が設けられており、画板を購入する面倒を省き、絵を描くことが更に便利になり、装置は機械の伝動係合により、ミスが出る可能性を下げ、装置のコストを下げ、エネルギーの消耗を節約する。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明の水墨画筆袋の全体断面正面構成略図
【図２】図２は図１のＡの部分拡大構成略図
【図３】図３は図１のＢの部分拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
以下、図１−３を合わせて本発明について詳しく説明し、また、説明の便利を図るため、下記に記載の上下左右前後方向が図１自身の投影関係の上下左右前後方向と一致することにする。
【００１４】
図１−３を参照し、本発明の水墨画筆袋は、筆袋１００を含み、前記筆袋１００の中には作業チャンバ２６が設けられており、前記作業チャンバ２６の左右端壁には画板スライド溝２９が対称的に設けられており、前記画板スライド溝２９の中には画板装置１０１が設けられており、前記画板装置１０１は画板２７を含み、前記画板２７が上下に移動することができ、使用者が手動で前記画板２７を上に移動させて出した時、使用者が前記画板２７を使って顔料の色を作ることができ、前記画板装置１０１には前記画板２７の上下移動を駆動するスライド機構１０２も設けられており、前記作業チャンバ２６の下端壁の中には六つの筆溝３２が設けられており、前記筆溝３２の下端壁には空きチャンバ３３が設けられており、前記筆溝３２には海綿クッション３１が設けられており、前記海綿クッション３１がそれぞれ前記筆溝３２の内壁に固定的に連結されており、使用者が手動で絵筆の尻を前記筆溝３２の中に挿し、前記海綿クッション３１によって絵筆が固定されており、右端の前記画板スライド溝２９の右端壁には連結空間６１が設けられており、右端の前記画板スライド溝２９の上端には連動溝４８が設けられており、左端の前記画板スライド溝２９の左端壁には固定溝４０が設けられており、前記固定溝４０の上端壁には外部と連通する連通溝６３が設けられており、前記連通溝６３の右端壁には引掛り溝３９が設けられており、前記筆袋１００の上端には蓋２１が設けられており、前記蓋２１の中には蓋溝２５が設けられており、前記蓋溝２５と前記連動溝４８との間には一つのスイッチ装置１０５が設けられており、前記スイッチ装置１０５は回転板５３とロック解除ブロック４２を含み、使用者が手動でボタン４３と前記ロック解除ブロック４２とを下に移動させることにより、長バネ２４で前記蓋２１を前記回転板２７に沿ってスライドさせ、前記作業チャンバ２６を開け、前記スイッチ装置１０５には連結機構１０６も設けられており、前記蓋溝２５の上端壁には移動スライド溝２３が設けられており、前記移動スライド溝２３の上端壁には連結スライド溝２２が設けられている。
【００１５】
前記画板装置１０１の中のスライド機構１０２は画板スライドブロック３４を含み、前記画板スライドブロック３４が二つ設けられており、別々に左右両端の前記画板スライド溝２９とスライドできるように係合し連結されており、前記画板スライドブロック３４と前記画板２７とが固定的に連結されており、前記画板２７の中には一つの洗浄チャンバ３０と十六個の顔料ハーフパン２８が設けられており、右端の前記画板スライドブロック３４には右方に開口した安定溝６４が設けられており、左端の前記画板スライドブロック３４には一つの左方に開口した台形ブロックスライド溝３７が設けられており、前記台形ブロックスライド溝３７の中には台形ブロック３６がスライドできるように係合し連結されており、前記台形ブロック３６と前記台形ブロックスライド溝３７の右端面との間には台形ブロックバネ３５が連結されており、前記台形ブロック３６が前記固定溝４０とスライドできるように係合し連結されることができ、使用者が手動で前記画板２７を上に引き、これにより左端の前記台形ブロック３６が前記固定溝４０の中に引っ掛かる。
【００１６】
前記スイッチ装置１０５の中の連結機構１０６はロック解除ロッド４１を含み、前記ロック解除ロッド４１と前記固定溝４０とがスライドできるように係合し連結されており、前記ロック解除ロッド４１の上端にはボタン４３が設けられており、前記ボタン４３の右端面と前記ロック解除ブロック４２とが固定的に連結されており、前記ロック解除ブロック４２と前記引掛り溝３９とがスライドできるように係合し連結されており、前記ロック解除ブロック４２と前記引掛り溝３９の下端壁との間には引掛りブロックバネ３８が連結されており、前記ロック解除ブロック４２が前記蓋溝２５の左端壁に当接でき、前記蓋溝２５の左端壁と前記回転板５３との間には前記長バネ２４が連結されており、前記回転板５３の上端には前記移動スライド溝２３とスライドできるように係合し連結された移動スライドブロック５４が設けられており、前記移動スライドブロック５４の上端には前記連結スライド溝２２とスライドできるように係合し連結された連結スライドブロック４５が設けられており、前記連動溝４８の前後端壁にはヒンジ軸４７が回転できるように係合し連結されており、前記ヒンジ軸４７にはトーションバネ４６が設けられており、前記トーションバネ４６と前記回転板５３とが固定的に連結されており、前記筆袋１００の上端面の中には凹溝５０が設けられており、前記回転板５３の左端面には切替溝４９が設けられており、前記凹溝５０の中には凹ブロック５２がスライドできるように係合し連結されており、前記凹ブロック５２と前記凹溝５０の下端壁との間には凹ブロックバネ５１が連結されており、前記凹ブロック５２の右端は前記切替溝４９とスライドできるように係合し連結されることができ、前記連結空間６１の前後端壁にはローラー軸６０が回転できるように係合し連結されており、前記ローラー軸６０には粘着ローラー５９が設けられており、前記連結空間６１の上端壁には押しブロック５８がスライドできるように係合し連結されており、前記押しブロック５８と前記粘着ローラー５９とが当接されており、前記押しブロック５８と前記安定溝６４とがスライドできるように係合し連結されることができ、前記連結空間６１の上端壁には位置制限溝５７が設けられており、前記位置制限溝５７の中には位置制限ブロック５５がスライドできるように係合し連結されており、前記位置制限ブロック５５と前記位置制限溝５７との間には位置制限バネ５６が連結されており、前記位置制限ブロック５５と前記押しブロック５８とが固定的に連結されており、使用者が手動で前記ボタン４３を下に引き、これにより前記ロック解除ブロック４２が連動し下へ移動し、これにより前記長バネ２４で前記蓋２１を右に移動させ、前記蓋２１の左側が前記凹ブロック５２を下に押し、そして前記ヒンジ軸に４７よって前記蓋２１を反転させて前記蓋２１の右端を前記連結空間６１の中に挿し、前記ローラー軸６０と前記粘着ローラー５９によって前記押しブロック５８を右に移動連動させる。
【００１７】
使用する時、使用者が手動で前記ボタン４３を下に引き、これにより前記ロック解除ブロック４２が連動し下へ移動し、これにより前記長バネ２４で前記蓋２１を右に移動させ、前記蓋２１の左側が前記凹ブロック５２を下に押し、そして前記ヒンジ軸に４７よって前記蓋２１を反転させて前記蓋２１の右端を前記連結空間６１の中に挿し、前記ローラー軸６０と前記粘着ローラー５９によって前記押しブロック５８を右に移動連動させ、使用者が画板２７を上に引き、これにより左端の台形ブロック３６が固定溝４０の中に引っ掛かり、そして使用者が絵を描き、描き終わった後、使用者が手動でボタン４３を下に回し、これによりロック解除ロッド４１が台形ブロック３６を固定溝４０から押し出し、そして使用者が手動で画板２７を回収し、そして死傷者が手動で蓋２１の右端を連結空間６１から抜き出し、これにより押しブロック５８が再び安定溝６４の中に引っ掛かり、そして使用者が手動で絵筆の尻を逆方向に筆溝３２の中に挿し、海綿クッション３１によって絵筆が固定され、蓋２１が凹ブロック５２を押し、そして使用者が手動で蓋２１を復元する。
【００１８】
本発明の有益効果は：本装置は絵筆をよく固定することができ、これにより絵筆が壊れにくく、同時に中には画板が設けられており、画板を購入する面倒を省き、絵を描くことが更に便利になり、装置は機械の伝動係合により、ミスが出る可能性を下げ、装置のコストを下げ、エネルギーの消耗を節約する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。